(57)【要約】【課題】炭酸飲料などに伴う典型的な内圧を吸収しながら、主に「ポケットサイズ」または非円筒形とすることができるプラスチック製飲料容器に対する要望がある。【解決手段】飲料用ボトル（１００）は、平坦化された上側ローブ（１４０）と、平坦化された下側ローブ（１５０）と、実質的に円形の遷移セクション（１６０）と、を含む。ボトルは、プラスチック材料で作成することができる。【選択図】図１
2009513450.tif 000002
【特許請求の範囲】
【請求項１】
飲料用ボトルであって、
平坦化された上側ローブと、
平坦化された下側ローブと、
実質的に円形の遷移セクションと、を有するボトル。
【請求項２】
プラスチック材料で構成されている、請求項１に記載のボトル。
【請求項３】
正面視形状が、実質的にくびれた形状を有する、請求項１に記載のボトル。
【請求項４】
側面視形状が、縦に実質的に楕円形状を有する、請求項１に記載のボトル。
【請求項５】
前記平坦化された上側ローブおよび前記平坦化された下側ローブが、同じ直径を有する、請求項１に記載のボトル。
【請求項６】
前記平坦化された上側ローブおよび前記平坦化された下側ローブが、異なる直径を有する、請求項１に記載のボトル。
【請求項７】
前記平坦化された上側ローブおよび前記平坦化された下側ローブが、同じ形状を有する、請求項１に記載のボトル。
【請求項８】
前記平坦化された上側ローブおよび前記平坦化された下側ローブが、異なる形状を有する、請求項１に記載のボトル。
【請求項９】
前記平坦化された上側ローブおよび前記平坦化された下側ローブが、楕円形状を有する、請求項１に記載のボトル。
【請求項１０】
前記平坦化された下側ローブに隣接して配置された複数の脚部を有する底部をさらに備える、請求項９に記載のボトル。
【請求項１１】
前記底部が、前記複数の脚部間に配置された一対のリブを備える、請求項１０に記載のボトル。
【請求項１２】
前記一対のリブが、前記平坦化された下側ローブ内に延びる、請求項１１に記載のボトル。
【請求項１３】
前記底部が、楕円の断面を有する、請求項１０に記載のボトル。
【請求項１４】
自身内に炭酸飲料をさらに有する、請求項１に記載のボトル。
【請求項１５】
飲料用ボトルであって、
実質的に楕円の第１の断面を有する第１のセクションと、
実質的に楕円の第２の断面を有する第２のセクションと、
前記第１のセクションと前記第２のセクションとの間に配置された第３のセクションと、を有し、
前記第３のセクションが、実質的に円形の断面を有する、ボトル。
【請求項１６】
正面視形状が、実質的にくびれた形状を有する、請求項１５に記載のボトル。
【請求項１７】
側面視形状が、実質的に楕円形状を有する、請求項１５に記載のボトル。
【請求項１８】
前記第２のセクションに隣接して配置された複数の脚部をさらに備える、請求項１５に記載のボトル。
【請求項１９】
前記複数の脚部間に配置された一対のリブをさらに備える、請求項１８に記載のボトル。
【請求項２０】
前記複数の脚部が、実質的に楕円の断面を有する、請求項１８に記載のボトル。
【発明の詳細な説明】
【技術分野】
【０００１】
本発明は、概して、ボトルに関し、特に炭酸飲料やそれに関連する内圧と一緒に使用するのに適切なプラスチック製ポケット瓶に関する。
【背景技術】
【０００２】
飲料用ボトルには様々な形状およびサイズがある。１回飲みきり用サイズ（ｓｉｎｇｌｅ  ｓｅｒｖｉｎｇ  ｓｉｚｅ）に意図されたプラスチック製飲料用ボトル、特に炭酸飲料用に使用するよう意図されたものは、内部に発生する内圧があるために、ほとんど円筒形になる傾向がある。これは、非円筒形ボトルの形状は、圧力で変形する傾向があるためである。しかし、このような円筒形のボトルは、通常、簡単に搬送するために消費者のポケット内には適合しない。
【発明の開示】
【発明が解決しようとする課題】
【０００３】
したがって、炭酸飲料などに伴う典型的な内圧を吸収しながら、主に「ポケットサイズ」または非円筒形とすることができるプラスチック製飲料容器に対する要望がある。さらに、比較的大きいサイズの容器は、取り扱い、保存および冷蔵をさらに簡単にすることによって恩恵を受けることができる。このような容器は、既存のボトル詰め機器で製造および充填され、変形することなく消費者まで搬送され、消費者が簡単に使用できることが好ましい。
【課題を解決するための手段】
【０００４】
そこで、本願は、飲料用ボトルについて説明する。ボトルは、平坦化された上側ローブと、平坦化された下側ローブと、実質的に円形の遷移セクションと、を含むことができる。ボトルは、プラスチック材料から作ることができる。ボトルは、自身内に炭酸飲料を含むことができる。
【０００５】
ボトルの正面視形状は、実質的にくびれた形状を含むことができ、側面視形状は、縦に実質的に楕円の形状を含むことができる。平坦化された上側ローブおよび平坦化された下側ローブは、同じ直径または異なる直径を有することができる。平坦化された上側ローブおよび平坦化された下側ローブは、同じ形状または異なる形状を有することができる。平坦化された上側ローブおよび平坦化された下側ローブは、楕円形状を有することができる。
【０００６】
ボトルは、さらに、平坦化された下側ローブに隣接して配置されたいくつかの脚部を有する底部を含むことができる。ボトルは、脚部間に配置された一対のリブを含むことができる。リブは、平坦化された下側ローブ内に延びることができる。ボトルは、楕円の断面を有することができる。
【０００７】
本願は、さらに、飲料用ボトルについて説明する。飲料用ボトルは、実質的に楕円の断面を有する第１のセクション及び第２のセクションと、第１のセクションと第２のセクションとの間に配置されて実質的に円形の断面を有する第３のセクションと、を含むことができる。正面視形状は、実質的にくびれた形状を含むことができ、側面視形状は、実質的に楕円形状を含むことができる。ボトルは、さらに、第２のセクションに隣接して配置されたいくつかの脚部を含むことができる。一対のリブを、脚部間に配置することができる。脚部は、実質的に楕円の断面を有することができる。
【発明を実施するための最良の形態】
【０００８】
図面を参照すると、類似の番号はいくつかの図面を通して類似の部材を指し、図１〜図６は、本明細書に記載した瓶１００の実施形態を示す。「瓶（flask）」という用語は、比較的平坦な容器という意味で使用されているが、瓶１００は任意のタイプまたはサイズのボトルまたは容器であってもよい。瓶１００は、ＰＥＴ系（ポリエチレンテレフタレート）材料などの従来の熱可塑性樹脂からつくることができる。本明細書では、ガラス、金属などの他のタイプの材料を使用することができる。瓶１００は、従来の延伸ブロー成形プロセスで製造することができる。本明細書では、他のタイプの製造プロセスを使用することもできる。
【０００９】
瓶１００は、ネック部１１０を含むことができる。ネック部１１０は、従来の設計であってもよい。ネック部１１０は、いくつかのねじ山１２０を含むことができる。ねじ山１２０は、従来の捻って開けるクロージャを受けるように構成することができる。本明細書では、他のタイプのクロージャを使用することもできる。保持リング１３０または類似の構造も使用することができる。
【００１０】
ボトル１００は、さらに、上部セクション１４０および下部セクション１５０を有することができる。上部セクション１４０および下部セクション１５０は、遷移中央セクション１６０によって分離することができる。上部および下部セクション１４０、１５０は、ほとんど楕円の形状で、実質的に平坦化されたローブ(lobe)の形態をとることができる。しかし、中央セクション１６０は、実質的に円形の断面形状であってもよい。図２に示すように、上部セクション１４０の正面視形状は、ほとんど凹状の状態で開始してネック部１１０から離れ、次に凸状の状態で中央セクション１６０に向かって進む。同様に、下部セクション１５０は、ほとんど凹状の状態で中央セクション１６０から延び、次に凸状の状態で底部１７０に向かって進む。それ故、正面視形状は、実質的に「くびれた」形状を有する。しかし、図３および図４を見れば分かるように、頂部または底部から見て、または図３を見れば分かるように、側部から見て、瓶１００は、ほとんど楕円の形状であるように見える。楕円の上部セクション１４０または楕円の下部セクション１５０と円形の中央セクション１６０との組合せは、図６の断面図でもっともはっきり示されている。
【００１１】
楕円の上部および下部セクション１４０、１５０とほとんど円形の中央セクション１６０とを組み合わせることによって、瓶１００が、自身内の飲料の内圧による変形を回避しながら、全体として多少平坦化された形状を有することができる。例えば、瓶１００は、１気圧につき約２倍の体積のＣＯ２から１気圧につき約５倍の体積のＣＯ２までの範囲で、炭酸飲料の典型的な内圧に適応可能でなければならない。平坦化されたローブの形状は、搬送時の取り扱いも容易にし、円形の中央セクション１６０は、把持を容易にする。瓶１００は「ポケットサイズ」であってもよいが、本明細書では、任意のサイズを使用することができる。実際、比較的大きい容器は、容易に使用できる形状の恩恵を受けることができる。
【００１２】
図７は、瓶２００の本明細書に記載した他の実施形態を示す。瓶２００は、上述した瓶１００とほとんど類似であるが、上部および下部セクション１４０、１５０および中央セクション１６０の長さに沿って延びるいくつかの内部リブ２２０が追加されている。リブ２２０は、他の構造的強度および美的価値を提供するように、上部および下部セクション１４０、１５０および中央セクション１６０からわずかに内側又は外側に窪んでいてもよい。本明細書では、所望に応じて他のタイプの補強手段を使用することができる。瓶２００は、ほとんど楕円または非円形の断面形状を維持しながら、扇形切欠き、エンボスなどの他のタイプの表面フィーチャを有することができる。
【００１３】
上部および下部セクション１４０、１５０、ならびに瓶１００全体は、多くの異なる構成をとることができる。例えば、図８は、瓶２５０の本明細書に記載した他の実施形態を示す。瓶２５０は、瓶１００に関して上述したものと類似であるが、上部および下部セクション１４０の水平寸法が、中央セクション１６０のそれと比較してさらに大きくなるように、上部および下部セクション１４０、１５０がさらに延びている。上面視形状および側面視形状は、外観がほとんど楕円のままである。逆に、図９は、瓶２６０の本明細書に記載した他の実施形態を示す。瓶２６０は、瓶１００に関して上述したものと類似であるが、上部および下部セクション１４０の水平寸法が、中央セクション１６０のそれと比較してそれほど大きくないように、上部および下部セクション１４０、１５０が最小限に抑えられている。上面視形状および側面視形状は、外観がほとんど楕円のままである。
【００１４】
図１０および図１１は、瓶３００の本明細書に記載した他の実施形態を示す。この実施形態では、瓶３００の上部セクション１４０が、下部セクション１５０より多少大きく、丸くなっている。中央セクション１６０は、実質的に円形の形状をほとんど維持している。この設計の正味の効果は、図１１に示す側面視形状が、上述した楕円形状ではなく、ジョージア州アトランタのザ・コカ−コーラ・カンパニーが販売している周知の輪郭のボトルに多少類似している形状をとることである。
【００１５】
図１２〜図１５は、瓶４００の本明細書に記載した他の実施形態を示す。瓶４００は、上述した瓶のいずれとも類似であってもよいが、底部１７０に沿っていくつかの脚部４１０が追加されている。脚部４１０によって、瓶４００は独自に直立することができる。この実施形態では、４つの脚部４１０が形成され、一対の凹リブ、すなわち楕円形の下部セクション１５０および底部１７０の長い方の寸法（図１５を見れば分かるようにＸ軸）を二等分する第１のリブ４２０、および短い方の寸法（Ｙ軸）を二等分する第２のリブ４３０によって分離される。両方のリブ４２０は、底部１７０から下部セクション１５０に向かって上方向に延び、それに入る。リブ４２０、４３０は、底部１７０の中心点４４０で交差する。４つの脚部４１０は、ほとんど同一の形状である。脚部４１０は、底部１７０に沿って下部セクション１５０に入るように形成することができる。代替的に、脚部４１０は、従来の手段を介して底部１７０に取り付けることができる別個の要素であってもよい。
【００１６】
図１６〜図１９は、瓶５００の本明細書に記載した他の実施形態を示す。瓶５００は、上述した瓶のいずれとも類似であってもよいが、底部１７０に沿っていくつかの脚部５１０が追加されている。前の実施形態と同様に、脚部５１０によって、瓶５００は独自に直立することができる。この実施形態では、４つの脚部５１０が形成され、一対の窪んだリブ、すなわち図１９を見れば分かるように、「Ｘ」形状を形成する第１のリブ５２０および第２のリブ４３０によって分離される。リブ５２０、５３０は、底部１７０の中心点５４０で交差する。両方のリブ５２０は、底部１７０から下部セクション１５０に向かって上方向に延び、そこに入る。脚部５１０は、楕円形の下部セクション１５０および底部１７０の短い寸法に（図１９を見れば分かるようにｙ軸に沿って）延びる一対の小さい脚部５５０、および長い寸法（ｘ軸）に沿って延びる一対の大きい脚部５６０を含む。脚部５１０は、底部１７０に沿って下部セクション１５０に入るように形成することができる。代替的に、脚部５１０は、従来の手段を介して底部１７０に取り付けることができる別個の要素であってもよい。
【００１７】
図２０〜図２３は、瓶６００の本明細書に記載した他の実施形態を示す。瓶６００は、上述した瓶４００と類似であってもよいが、内部ウェブ６１０が追加されている。ウェブ６１０は、瓶６００内をネック部１１０周辺から底部１７０まで延びることができる。ウェブ６１０は、内圧による変形に抗することをさらに補助するように、瓶６００をほとんど２つのセクションに分割することができる。ウェブ６１０は、所望に応じて内部の飲料が一方の側から他方の側に流れることができるように、ネック部１１０および／または底部１７０周辺、またはその他に開口部を有することができる。ウェブ６１０は、長いリブ６３０とは反対に、楕円形の下部セクション１５０および底部１７０の短い方の寸法（図２３を見れば分かるようにＹ軸）を二等分する短いリブ６２０と位置合わせし、そこから延びることができる。
【図面の簡単な説明】
【００１８】
【図１】本明細書に記載したボトルの斜視図である。
【図２】図１のボトルの正面図である。
【図３】図１のボトルの側面図である。
【図４】図１のボトルの上面図である。
【図５】図１のボトルの底面図である。
【図６】図３の線６−６を通って切り取った断面図である。
【図７】本明細書に記載したボトルの他の実施形態の斜視図である。
【図８】本明細書に記載したボトルの他の実施形態の正面図である。
【図９】本明細書に記載したボトルの他の実施形態の正面図である。
【図１０】本明細書に記載したボトルの他の実施形態の正面図である。
【図１１】図１０のボトルの側面図である。
【図１２】本明細書に記載した脚部を有するボトルの他の実施形態の斜視図である。
【図１３】図１２のボトルの正面図である。
【図１４】図１２のボトルの側面図である。
【図１５】図１２のボトルの底面図である。
【図１６】本明細書に記載した脚部を有するボトルの他の実施形態の斜視図である。
【図１７】図１６のボトルの正面図である。
【図１８】図１６のボトルの側面図である。
【図１９】図１６のボトルの底面図である。
【図２０】本明細書に記載した脚部および内部ウェブを有するボトルの他の実施形態の斜視図である。
【図２１】図２０のボトルの正面図である。
【図２２】図２０のボトルの側面図である。
【図２３】図２０のボトルの底面図である。
【図１】
2009513450.tif 000003
【図２】
2009513450.tif 000004
【図３】
2009513450.tif 000005
【図４】
2009513450.tif 000006
【図５】
2009513450.tif 000007
【図６】
2009513450.tif 000008
【図７】
2009513450.tif 000009
【図８】
2009513450.tif 000010
【図９】
2009513450.tif 000011
【図１０】
2009513450.tif 000012
【図１１】
2009513450.tif 000013
【図１２】
2009513450.tif 000014
【図１３】
2009513450.tif 000015
【図１４】
2009513450.tif 000016
【図１５】
2009513450.tif 000017
【図１６】
2009513450.tif 000018
【図１７】
2009513450.tif 000019
【図１８】
2009513450.tif 000020
【図１９】
2009513450.tif 000021
【図２０】
2009513450.tif 000022
【図２１】
2009513450.tif 000023
【図２２】
2009513450.tif 000024
【図２３】
2009513450.tif 000025
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
飲料用ボトルであって、
平坦化された上側ローブと、
平坦化された下側ローブと、
実質的に円形の遷移セクションと、を有し、
側面視形状が、縦に実質的に楕円形状を有する、ボトル。
【請求項２】
プラスチック材料で構成されている、請求項１に記載のボトル。
【請求項３】
正面視形状が、実質的にくびれた形状を有する、請求項１に記載のボトル。
【請求項４】
前記平坦化された上側ローブおよび前記平坦化された下側ローブが、同じ直径を有する、請求項１に記載のボトル。
【請求項５】
前記平坦化された上側ローブおよび前記平坦化された下側ローブが、異なる直径を有する、請求項１に記載のボトル。
【請求項６】
前記平坦化された上側ローブおよび前記平坦化された下側ローブが、同じ形状を有する、請求項１に記載のボトル。
【請求項７】
前記平坦化された上側ローブおよび前記平坦化された下側ローブが、異なる形状を有する、請求項１に記載のボトル。
【請求項８】
前記平坦化された上側ローブおよび前記平坦化された下側ローブが、楕円形状を有する、請求項１に記載のボトル。
【請求項９】
前記平坦化された下側ローブに隣接して配置された複数の脚部を有する底部をさらに備える、請求項８に記載のボトル。
【請求項１０】
前記底部が、前記複数の脚部間に配置された一対のリブを備える、請求項９に記載のボトル。
【請求項１１】
前記一対のリブが、前記平坦化された下側ローブ内に延びる、請求項１０に記載のボトル。
【請求項１２】
前記底部が、楕円の断面を有する、請求項９に記載のボトル。
【請求項１３】
自身内に炭酸飲料をさらに有する、請求項１に記載のボトル。
【請求項１４】
飲料用ボトルであって、
実質的に楕円の第１の断面を有する第１のセクションと、
実質的に楕円の第２の断面を有する第２のセクションと、
前記第１のセクションと前記第２のセクションとの間に配置された第３のセクションと、を有し、
前記第３のセクションが、実質的に円形の断面を有し、
側面視形状が、実質的に楕円形状を有する、ボトル。
【請求項１５】
正面視形状が、実質的にくびれた形状を有する、請求項１４に記載のボトル。
【請求項１６】
前記第２のセクションに隣接して配置された複数の脚部をさらに備える、請求項１４に記載のボトル。
【国際調査報告】
2009513450.tif 000026
2009513450.tif 000027